(57)【要約】      （修正有）【課題】使用時等の持ち運び性を改善することの可能な携帯型電力機器を提供する。【解決手段】モバイルバッテリー（携帯型電力機器）１は、略板状のケース３と、ケース３の内部に収容される電池部と、両端部５ａ、５ｂがケース３に取り付けられた伸縮性を有するバンド（帯状体）５とを備える。【選択図】図１
0003200825.tif 000002
【実用新案登録請求の範囲】
【請求項１】
略板状のケースと、
前記ケースの内部に収容される電池部と、
両端部が前記ケースに取り付けられた伸縮性を有する帯状体と
を備えることを特徴とする携帯型電力機器。
【請求項２】
前記帯状体の前記両端部は前記ケースの略同一位置に取り付けられていることを特徴とする請求項１記載の携帯型電力機器。
【請求項３】
前記帯状体は前記ケースに巻回可能に構成されていることを特徴とする請求項１または２記載の携帯型電力機器。
【請求項４】
前記帯状体の少なくとも一面は滑り止め機能を有することを特徴とする請求項１〜３のいずれかに記載の携帯型電力機器。
【請求項５】
前記ケースは略矩形板状に形成されていることを特徴とする請求項１に記載の携帯型電力機器。
【請求項６】
前記帯状体の一端部は前記ケースの側面に取り付けられ、他端部は、一端部が取り付けられている前記ケースの側面に対向する側面に取り付けられていることを特徴とする請求項５記載の携帯型電力機器。
【請求項７】
前記帯状体の両端部は前記ケースの同一面に取り付けられていることを特徴とする請求項５記載の携帯型電力機器。
【請求項８】
前記帯状体は、両端部を除く部分の少なくとも一部が前記ケースの上面または下面に対向する位置に設けられ、この部分の少なくとも一面は滑り止め機能を有することを特徴とする請求項６または７記載の携帯型電力機器。
【請求項９】
略板状のケースと、
前記ケースの内側に収容される電池部と、
前記ケースから外方に突出し、その一部にスリットが形成された一対の取付部と、
一対の前記取付部のスリットをそれぞれ通ることでこの取付部に取り付けられた無端状の帯状体と
を備えることを特徴とする携帯型電力機器。
【請求項１０】
略板状のケースと、
前記ケースの内部に収容される電池部と、
一端部が前記ケースに取り付けられ、他端部が前記ケースまたは自身に着脱自在にされた伸縮性を有する帯状体と
を備えることを特徴とする携帯型電力機器。
【考案の詳細な説明】
【技術分野】
【０００１】
本考案は、ケースと電池部とを備える携帯型電力機器に関する。
【背景技術】
【０００２】
スマートフォン、タブレット端末に代表される携帯型電子機器の高性能化に伴い、携帯型電子機器の内蔵電池に高い電池容量（放電容量）を有するものが使われつつある。しかしながら、携帯型電子機器に対する小型化の要求があるため、内蔵電池も必然的に小型化せざるを得ず、結果的に、内蔵電池の電池容量にも一定の制限がある。このため、内蔵電池の充電を行えない時間が長時間にわたる時など、この内蔵電池の充電を行いうる、モバイルバッテリーと呼ばれる携帯型電力機器が近年多用されている（例えば特許文献１、２参照）。
【先行技術文献】
【特許文献】
【０００３】
【特許文献１】実用新案登録第３１８５７７８号公報
【特許文献２】実用新案登録第３１８９１３７号公報
【考案の概要】
【考案が解決しようとする課題】
【０００４】
しかしながら、従来の携帯型電力機器は、例えば上述の特許文献２に示すように、外形矩形板状に形成されており、携帯型電子機器とともに使用する際には、これら携帯型電力機器及び携帯型電子機器を重ねてユーザが把持し、これらの間の位置関係がずれないように工夫する等して使用していた。すなわち、従来の携帯型電力機器は、ユーザの使用性、特に持ち運び性に配慮したものではなかった。
【０００５】
本考案は上述した課題に鑑みてなされたものであり、使用時等の持ち運び性を改善することの可能な携帯型電力機器の提供を、その目的の一つとしている。
【課題を解決するための手段】
【０００６】
本考案は、略板状のケースと、ケースの内部に収容される電池部と、両端部がケースに取り付けられた伸縮性を有する帯状体とを備える携帯型電力機器により、上述の課題の少なくとも一つを解決している。
【０００７】
ここで、帯状体の両端部はケースの略同一位置に取り付けられていることが好ましい。また、帯状体はケースに巻回可能に構成されていることが好ましい。さらに、帯状体の少なくとも一面は滑り止め機能を有することが好ましい。
【０００８】
また、ケースは略矩形板状に形成されていることが好ましい。また、帯状体の一端部をケースの側面に取り付けた場合、他端部は、一端部が取り付けられているケースの側面に対向する側面に取り付けられていることが好ましい。あるいは、帯状体の両端部はケースの同一面に取り付けられていることが好ましい。また、帯状体は、両端部を除く部分の少なくとも一部がケースの上面または下面に対向する位置に設けられ、この部分の少なくとも一面は滑り止め機能を有することが好ましい。
【０００９】
また、本考案は、略板状のケースと、ケースの内側に収容される電池部と、ケースから外方に突出し、その一部にスリットが形成された一対の取付部と、一対の取付部のスリットをそれぞれ通ることでこの取付部に取り付けられた無端状の帯状体とを備える携帯型電力機器により、上述の課題の少なくとも一つを解決している。
【００１０】
さらに、本考案は、略板状のケースと、ケースの内部に収容される電池部と、一端部がケースに取り付けられ、他端部がケースまたは自身に着脱自在にされた伸縮性を有する帯状体とを備える携帯型電力機器により、上述の課題の少なくとも一つを解決している。
【考案の効果】
【００１１】
本考案によれば、使用時等の持ち運び性を改善することの可能な携帯型電力機器を提供することができる。
【図面の簡単な説明】
【００１２】
【図１】本考案の第１実施形態であるモバイルバッテリーを示す斜視図である。
【図２】第１実施形態のモバイルバッテリーを示す平面図である。
【図３】第１実施形態のモバイルバッテリーを示す側面図である。
【図４】図１のIV−IV線矢視断面図である。
【図５】第１実施形態のモバイルバッテリーの使用状態の一例を示す平面図である。
【図６】第１実施形態のモバイルバッテリーの使用状態の他の例を示す平面図である。
【図７】第１実施形態のモバイルバッテリーの使用状態のまた他の例を示す平面図である。
【図８】第１実施形態のモバイルバッテリーの使用状態のまた他の例を示す平面図である。
【図９】本考案の第２実施形態であるモバイルバッテリーを示す平面図である。
【図１０】第２実施形態のモバイルバッテリーの使用状態の一例を示す平面図である。
【図１１】第２実施形態のモバイルバッテリーの使用状態の他の例を示す平面図である。
【図１２】第２実施形態のモバイルバッテリーの使用状態のまた他の例を示す平面図である。
【図１３】第２実施形態のモバイルバッテリーの使用状態のまた他の例を示す平面図である。
【図１４】本考案の第３実施形態であるモバイルバッテリーを示す斜視図である。
【図１５】第３実施形態のモバイルバッテリーを示す側面図である。
【図１６】本考案の第４実施形態であるモバイルバッテリーを示す平面図である。
【図１７】第４実施形態のモバイルバッテリーを示す一部破断側面図である。
【図１８】本考案の変形例であるモバイルバッテリーの一例を示す部分断面図である。
【図１９】本考案の変形例であるモバイルバッテリーの他の例を示す部分断面図である。
【考案を実施するための形態】
【００１３】
以下、図面を参照して、本考案の携帯型電力機器について説明する。なお、図面内に記載されている携帯型電力機器の寸法は、説明の便宜上誇張して記載されており、実際の寸法を反映した縮尺ではない。
【００１４】
（第１実施形態）
図１は、本考案の第１実施形態であるモバイルバッテリーを示す斜視図、図２は第１実施形態のモバイルバッテリーを示す平面図、図３は第１実施形態のモバイルバッテリーを示す側面図、図４は図１のIV−IV線矢視断面図である。なお、以下の実施形態の説明において、上下方向、左右方向及び前後方向について説明を行う場合は、図１のそれを基準として行う。
【００１５】
これら図において、１は本考案の第１実施形態であるモバイルバッテリー（携帯型電力機器）１である。モバイルバッテリー１は、図１に最もよく示されるように、外形が矩形板状に形成されており、その上下面を除く側面の一面、より詳細には短手方向の側面には充電用及び給電用の一対のコネクタ２ａ、２ｂが設けられている。本実施形態では、コネクタ２ａ、２ｂはともにＵＳＢ規格に基づくコネクタであり、充電用のコネクタ２ａはｍｉｃｒｏＢコネクタ、給電用のコネクタ２ｂはｔｙｐｅＡコネクタとされている。
【００１６】
本実施形態のモバイルバッテリー１は、外形略矩形板状のケース３と、このケース３の内部に収容される電池部４と、両端部５ａ、５ｂがケース３に取り付けられた伸縮性を有するバンド（帯状体）５とを備えている。
【００１７】
ケース３は、図４に最もよく示されるように、外形が中空略直方体状に形成され、このケース３の中空部である内部空間に電池部４が収納されている。ケース３は、好ましくは金属、熱硬化性樹脂等から形成され、熱硬化性樹脂で形成される場合は、電池部４を金型に配置した後、この電池部４の周囲に熱硬化性樹脂を射出成形する等の手法により形成される。金属で形成される場合は、ケース３をその側面部分で２分割したものを予めプレス加工等により形成してから、２分割したケース３内に電池部４を配置し、その後、分割部を熱硬化性樹脂等のシール部材によりシールすることにより形成される。
【００１８】
電池部４は、リチウムイオン電池等の充電可能な二次電池が好ましく、リチウムイオン電池である場合は制御回路、安定回路等の回路部が付設される。図４においては電池部４が外形略矩形板状に図示されているが、ケース３内に収納されうる形状であればその形状に限定はない。また、図４には、上述のコネクタ２ａ、２ｂ及びこれらコネクタ２ａ、２ｂと電池部４との結線等の図示は省略している。
【００１９】
バンド５は、全長にわたって略同一幅の帯状に形成され、図４に示すように、その両端部５ａ、５ｂがケース３内にまで至った状態でこのケース３に挟持されることで、ケース３の同一位置に取り付けられている。より詳細には、本実施形態のモバイルバッテリー１では、バンド５の両端部５ａ、５ｂは、ケース３の長手方向の側面の一箇所に取り付けられている。
【００２０】
バンド５の両端部５ａ、５ｂをケース３に取り付ける手法は、周知のものから適宜好適に選択される。上述のように、ケース３が熱硬化性樹脂で形成される場合は、電池部４と同様にバンド５も金型内の所定位置に配置された状態で熱硬化性樹脂が射出成形されることで、ケース３が形成されるとともに、バンド５の両端部５ａ、５ｂがこのケース３に取り付けられる。
【００２１】
本実施形態のバンド５は、少なくともその一部がゴム等の伸縮性を有する素材から形成されることで、全体として伸縮性を有するように構成されている。バンド５に伸縮性を持たせる構成は、周知のものから適宜選択されればよい。一例として、バンド５全体をゴムにより構成してもよく、また、織物の一面に薄板状のゴムを貼付した、いわゆるゴム引布と呼ばれるものや、糸状のゴムやゴムの周囲に繊維を巻回したものを縦糸または横糸のいずれかに用いて織物、編物にした織ゴム、編ゴムと呼ばれるものなどにより構成してもよい。バンド５の少なくとも一部にゴムを用いたものは、ゴムが露出する面が滑り止め機能を有することになり、好ましい。
【００２２】
本実施形態のバンド５は、図１において露出していない側の面、すなわち裏面（内面）５ｄにおいてゴムが露出するように構成される等の構成により、この裏面５ｄが滑り止め機能を有している。ゴムを露出させる構成以外にバンド５の一面に滑り止め機能を付与する構成としては、この一面に滑り止め塗料を塗布してこの一面に滑り止め塗料の塗膜を形成する、一面にゴム等からなる突起を間欠的に形成する、さらには一面を自己粘着性素材から形成する等の構成が一例としてあげられる。また、裏面５ｄだけでなく、図１において露出している側の面、すなわち表面（外面）５ｃも滑り止め機能を有してもよい。
【００２３】
このような構成のモバイルバッテリー１は、一例として、運搬時にこのバンド５にユーザーの手を通す、キーホルダー等に取り付ける等して、スマートフォン、タブレット端末等の携帯型電子機器とともに持ち運びがされる。
【００２４】
また、図５に示すように、バンド５を若干引き伸ばし、かつ、図１〜図４に示す状態のバンド５を裏返して裏面５ｄを露出させた状態で、モバイルバッテリー１のケース３の短手方向に沿ってこのケース３の周囲を巻回しておくことができる。
【００２５】
このように、バンド５をケース３の周囲に巻回しておくと、図６に示すように、モバイルバッテリー１とともに使用するＵＳＢケーブル６をバンド５とケース３との間に挟持して持ち運ぶことができる。このＵＳＢケーブル６は、上述のコネクタ２ｂに嵌合するＵＳＢ  ｔｙｐｅＡプラグ６ａと携帯型電子機器のＵＳＢコネクタに嵌合するＵＳＢｍｉｃｒｏＢプラグ６ｂとをそれぞれ一端に備えている。
【００２６】
また、図７に示すように、バンド５をさらに引き伸ばして外形略板状の携帯型電子機器（図示例ではスマートフォン）７とケース３との周囲に巻回することで、これら携帯型電子機器７とモバイルバッテリー１とを一体に持ち運ぶことができる。
【００２７】
あるいは、図８に示すように、バンド５をケース３の周囲に巻回した状態で、このケース３の一面（図８ではケース３の上面）に携帯型電子機器７を載置すれば、バンド５の裏面５ｄが滑り止め機能を有することにより、携帯型電子機器７とモバイルバッテリー１との相対的位置が規制され、従って、ユーザーが携帯型電子機器７とモバイルバッテリー１との間のずれ（相対的移動）を抑止するための動作を軽減することができる。
【００２８】
以上説明したように、本実施形態のモバイルバッテリー１によれば、使用時等の持ち運び性を向上させることができる。
【００２９】
（第２実施形態）
次に、図９は、本考案の第２実施形態であるモバイルバッテリーを示す平面図である。本実施形態のモバイルバッテリー１と第１実施形態のモバイルバッテリー１との相違は、バンド５の両端部５ａ、５ｂの取付位置であり、それ以外の構成要素については、上述の第１実施形態のモバイルバッテリー１と略同一である。従って、同一の構成要素については同一の符号を付して、その説明を簡略化する。
【００３０】
本実施形態のモバイルバッテリー１では、図９に示すように、バンド５の両端部５ａ、５ｂが、ケース３の短手方向の側面の同一箇所に取り付けられている。
【００３１】
このような構成のモバイルバッテリー１は、上述の第１実施形態と同様に、運搬時にこのバンド５にユーザーの手を通す、キーホルダー等に取り付ける等して、スマートフォン、タブレット端末等の携帯型電子機器とともに持ち運びがされる。
【００３２】
また、図１０に示すように、バンド５を若干引き伸ばした状態で、モバイルバッテリー１のケース３の長手方向に沿ってこのケース３の周囲を巻回しておくことができる。
【００３３】
このように、バンド５をケース３の周囲に巻回しておくと、図１１に示すように、モバイルバッテリー１とともに使用するＵＳＢケーブル６をバンド５とケース３との間に挟持して持ち運ぶことができる。
【００３４】
また、図１３に示すように、バンド５をケース３の周囲に巻回した状態で、このケース３の一面（図１３ではケース３の上面）に携帯型電子機器７を載置すれば、バンド５の表面５ｃに滑り止め加工がされているので、ユーザーが携帯型電子機器７とモバイルバッテリー１との間のずれ（相対的移動）を抑止するための動作を軽減することができる。
【００３５】
さらに、図１２に示すように、バンド５とケース３との間にユーザーの手Ｈを入れることで、バンド５の伸縮性によりモバイルバッテリー１と手Ｈとの相対的移動が規制される。これにより、ユーザーが特段モバイルバッテリー１を把持する動作を行うことなく、モバイルバッテリー１を持ち運ぶことができる。
【００３６】
以上説明したように、本実施形態のモバイルバッテリー１によれば、上述の第１実施形態と同様に、使用時等の持ち運び性を向上させることができる。
【００３７】
（第３実施形態）
次に、図１４は、本考案の第３実施形態であるモバイルバッテリーを示す斜視図、図１５は第３実施形態のモバイルバッテリーを示す側面図である。本実施形態のモバイルバッテリー１と第１実施形態のモバイルバッテリー１との相違も、バンド５の端部５ａ、５ｂの取付位置であり、それ以外の構成要素については、上述の第１実施形態のモバイルバッテリー１と略同一である。従って、同一の構成要素については同一の符号を付して、その説明を簡略化する。
【００３８】
本実施形態のモバイルバッテリー１では、図１４及び図１５に示すように、バンド５の端部５ａ、５ｂが、ケース３の一面（本実施形態では図１４、１５においてケース３の上面）に取り付けられている。より詳細には、バンド５の端部５ａ、５ｂは、ケース３の上面の長手方向の一端部及び他端部にそれぞれ取り付けられており、バンド５はこのケース３の上面の長手方向に沿って延在している。これにより、バンド５の両端部５ａ、５ｂを除く部分が少なくともケース３の上面に対向する位置に設けられることになる。そして、バンド５の図１４における上面には滑り止め加工が施されている。
【００３９】
本実施形態のモバイルバッテリー１の使用態様は、上述の第１、第２実施形態のモバイルバッテリー１の使用態様と同様であるので、その説明を省略する。従って、本実施形態のモバイルバッテリー１によれば、上述の第１実施形態と同様に、使用時等の持ち運び性を向上させることができる。
【００４０】
（第４実施形態）
次に、図１６は、本考案の第４実施形態であるモバイルバッテリーを示す平面図、図１７は第４実施形態のモバイルバッテリーを示す一部破断側面図である。本実施形態のモバイルバッテリー１では、バンド５が無端状、すなわち環状に形成されているとともに、ケース３から突出する取付部８にこのバンド５が取り付けられている。
【００４１】
より詳細には、ケース３の図１６における長手方向の両端部には、このケース３の側面からそれぞれ外方に突出する一対の取付部８が設けられている。この取付部８は、上面視台形の板状に形成され、その一部に、ケース３の短手方向に沿って延在するスリット８ａが形成されている。そして、図１７に最もよく示されるように、バンド５はこのスリット８ａを通り、さらに取付部８の外方（図１７において右方）を通ることで、この取付部８、ひいてはケース３に取り付けられている。
【００４２】
本実施形態のモバイルバッテリー１の使用態様は、上述の第１〜第３実施形態のモバイルバッテリー１の使用態様と同様であるので、その説明を省略する。従って、本実施形態のモバイルバッテリー１によれば、上述の第１実施形態と同様に、使用時等の持ち運び性を向上させることができる。
【００４３】
（変形例）
なお、本考案のモバイルバッテリーは、その細部が上述した各実施形態に限定されず、種々の変形例が可能である。一例として、上述の第１実施形態では、バンド５の両端部５ａ、５ｂがケース３に挟持されることでバンド５がケース３に取り付けられていたが、バンド５の取付態様はこの第１実施形態のそれに限定されず、種々の変形例が可能である。
【００４４】
例えば、図１８に示すように、バンド５の両端部５ａ、５ｂを予めゴムブッシュ９内に埋設し、ケース３がこのゴムブッシュ９を挟持することによりバンド５をケース３に取り付けてもよい。さらに、図１９に示すように、ゴムブッシュ９をケース３内に埋設してもよい。
【００４５】
また、バンド５のケース３への取付位置も任意であり、一例として、第１実施形態に示すようなケース３の形状であれば、長手方向の対向する側面にそれぞれ端部５ａ、５ｂを取り付けてもよい。
【００４６】
さらに、上述の各実施形態では、バンド５の両端部をそれぞれケース３に固定していたが、バンド５の一端部（５ａまたは５ｂ）のみをケース３に固定し、他端部（５ｂまたは５ａ）はマジックテープ（登録商標）等の取り外し可能な構成によりケース３に着脱自在に取り付けてもよいし、さらにはバンド５の他端部以外に着脱自在に取り付けてもよい。
【００４７】
さらに、ケース３の形状も、上述の各実施形態のような外形矩形板状に限定されず、携帯型電子機器７が載置されうる面を備える外形板状に形成されていれば、自由形状のケース３であってよい。
【符号の説明】
【００４８】
１    モバイルバッテリー
３    ケース
４    電池部
５    バンド
５ａ、５ｂ  端部
７    携帯型電子機器
８    取付部
８ａ    スリット
【図１】
0003200825.tif 000003
【図２】
0003200825.tif 000004
【図３】
0003200825.tif 000005
【図４】
0003200825.tif 000006
【図５】
0003200825.tif 000007
【図６】
0003200825.tif 000008
【図７】
0003200825.tif 000009
【図８】
0003200825.tif 000010
【図９】
0003200825.tif 000011
【図１０】
0003200825.tif 000012
【図１１】
0003200825.tif 000013
【図１２】
0003200825.tif 000014
【図１３】
0003200825.tif 000015
【図１４】
0003200825.tif 000016
【図１５】
0003200825.tif 000017
【図１６】
0003200825.tif 000018
【図１７】
0003200825.tif 000019
【図１８】
0003200825.tif 000020
【図１９】
0003200825.tif 000021